(57)【要約】【課題】本発明は、フリ−アクセスフロアパネルを従来例に比して非常に短期間で効率良く確実に、しかも、パネル厚を薄く、かつ、軽量に製造することが出来るのみならず、初期音鳴りが発生せず、しかも、コア材の付着による表裏面板の腐食を有効に防止せしめることが出来る、フリ−アクセスフロアパネルの製造方法を提供するものである。【解決手段】扁平な略方形皿状とされた金属製裏面板３内に熱硬化性樹脂を結合材とするレジンコンクリ−トからなるコア材１１を充填せしめ、裏面板３を振動せしめつつコア材１１を均一に平準化せしめたのち、裏面板３を加熱せしめつつコア材１１を加熱硬化せしめ、しかるのち、裏面板３上に方形状の金属製表面板２を被嵌状に接合せしめて一体化せしめる。【選択図】図５
2015004189.tif 000002
【特許請求の範囲】
【請求項１】
扁平な略方形皿状とされた金属製裏面板内に熱硬化性樹脂を結合材とするレジンコンク
リ−トからなるコア材を充填せしめ、裏面板を振動せしめつつコア材を均一に平準化せし
めたのち、裏面板を加熱せしめつつコア材を加熱硬化せしめ、しかるのち、裏面板上に方
形状の金属製表面板を被嵌状に接合せしめて一体化せしめることを特徴とする、フリ−ア
クセスフロアパネルの製造方法。 
【請求項２】
裏面板の底面には略交差筋かい状の補強リブを形成せしめてなることを特徴とする、請
求項１記載のフリ−アクセスフロアパネルの製造方法。
【請求項３】
表面板と裏面板の所要個所には積み重ね時のズレを防止せしめるべくその一方に凹部が
形成されると共に、該凹部に嵌合せしめるべく他方に凸部が対向形成されてなることを特
徴とする、請求項１または２記載のフリ−アクセスフロアパネルの製造方法。  
【発明の詳細な説明】
【技術分野】
【０００１】
本発明は、コンクリ−ト床面などの基準床面上に敷設して二重床を構成するフリ−アク
セスフロアパネルの製造方法に関する。
【背景技術】
【０００２】
ケ−ブル類や換気ダクトなどの配設に利用される自由空間を床の下方に確保するための
二重床は、通常、支持脚に支承された複数のフリ−アクセスフロアパネルを基準床面上に
隣接配置して構成されるものである。  
【０００３】
ところで、従来より、かかる二重床を構成するフリ−アクセスフロアパネルの一例とし
て、扁平な略方形皿状の金属製裏面板上に方形状の金属製表面板を一体的に結合すると共
に、表裏面板間の中空内にコア材としてセメントモルタルを充填硬化せしめた中実スチ−
ル製のものが知られている（特開昭６４−７１９６９号公報、特開平２−９１３５３号公
報、特開平１１−５０６４５号公報参照）。
そして、上述の如く構成された従来のフリ−アクセスフロアパネルを製造せしめるさい
には、偏平な略方形皿状とされた金属製裏面板上に方形状の金属製表面板をスポット溶接
手段やカシメなどのプレス手段により一体的に接合せしめると共に、表裏面板間の中空内
にコア材注入口よりコア材としてセメントモルタルを充填して振動せしめつつ平準化せし
め、適宜セメントモルタルを注ぎ足しせしめたのち、コア材注入口を閉塞せしめて約７日
にわたり縦置き養生せしめると共に、さらに２１日間にわたって横置き養生せしめ、しか
るのち、荷動試験による初期音鳴し作業を行うものとされている。
【先行技術文献】
【特許文献】
【０００４】
【特許文献１】特開昭６４−７１９６９号公報
【特許文献２】特開平２−９１３５３号公報
【特許文献３】特開平１１−５０６４５号公報
【発明の概要】
【発明が解決しようとする課題】
【０００５】
ところで、上述の如く構成されたフリ−アクセスフロアパネルの製造方法は、一体に接
合せしめた表裏面板間の中空内にコア材としてセメントモルタルを充填せしめ、約２８日
間にわたって縦横置き養生せしめるものであるから、コア材の乾燥固化に時間がかかり、
全体として製造時間の長期化を招来せしめて製造効率の悪いものである。   
また、従来法により製造せしめたフリ−アクセスフロアパネルは、特有の初期音鳴りを
発生せしめるものであるから、必然的に荷重試験による初期音鳴し作業が必要とされ、製
造工程の煩雑化を招来せしめるものである。さらに、コア材としてセメントモルタルを用
いるものであるから、製造中にペ−スト状のセメントモルタルが表裏面板外表面に付着し
、場合によってはセメントモルタル中の水分により腐食せしめるおそれがあり、常に表裏
面板の外表面を清掃せしめる必要があるのみならず、パネル厚が厚く、かつ、重量が大で
施工時や運搬時における取扱いが極めて不便である。      
【０００６】
本発明は従来の課題を解決し、フリ−アクセスフロアパネルを従来例に比して非常に短
期間で効率良く確実に、しかも、パネル厚を薄く、かつ、軽量に製造することが出来るの
みならず、初期音鳴りが発生せず、しかも、コア材の付着による表裏面板の腐食を有効に
防止せしめることが出来る、フリ−アクセスフロアパネルの製造方法を提供しようとする
ものである。
【課題を解決するための手段】
【０００７】
上記の目的を達成するため、本発明の請求項１記載の発明は、扁平な略方形皿状とされ
た金属製裏面板内に熱硬化性樹脂を結合材とするレジンコンクリ−トからなるコア材を充
填せしめ、裏面板を振動せしめつつコア材を均一に平準化せしめたのち、裏面板を加熱せ
しめつつコア材を加熱硬化せしめ、しかるのち、裏面板上に方形状の金属製表面板を被嵌
状に接合せしめて一体化せしめることを特徴とする、フリ−アクセスフロアパネルの製造
方法を要旨とするものである。
【０００８】
本発明の請求項１記載の発明のフリ−アクセスフロアパネルの製造方法において、裏面
板の底面には略交差筋かい状の補強リブが、また、表面板と裏面板の所要個所には積み重
ね時のズレを防止せしめるべくその一方に凹部が形成されると共に、該凹部に嵌合せしめ
るべく他方に凸部が対向形成されている。
【発明の効果】
【０００９】
本発明は、コア材として熱硬化性樹脂を結合材とするレジンコンクリ−トを金属製裏面
板に均一に充填せしめて加熱硬化せしめたのち、金属製表面板を被嵌状に接合せしめて一
体化せしめるものであるから、ペ−スト状のセメントモルタルをコア材として使用する従
来例に比して、非常に短期間で効率よく確実に、しかも、パネル厚を薄く、かつ軽量に製
造することが出来るものであって、ひいては、低床用として仕上がり高さを低く設定する
ことが出来るのみならず、運搬時や施工時における取扱いが極めて至便であり、また、所
謂初期音鳴りの発生がないものである。さらに、コア材としてのレジンコンクリ−ト自体
には水分を含有しないため、充填材の付着による表裏面板の腐食を生起せしめるおそれは
ないのみならず、不要なレジンコンクリ−トの処分は加熱処理することでレジンを燃焼せ
しめ、残渣の骨材を再利用することができ、また、粉砕処理のみで粒径の大きな骨材とし
ても再利用することが出来るものであって、リサイクル性が非常に良いものである。
【図面の簡単な説明】
【００１０】
【図１】本発明によるフリ−アクセスフロアパネル１の製造方法において用いられる表面板２と裏面板３を各々示す斜視図である。
【図２】本発明により製造されたフリ−アクセスフロアパネル１の正面図である。
【図３】図２のフリ−アクセスフロアパネル１の右側面図である。
【図４】図２のフリ−アクセスフロアパネル１の平面図である。
【図５】図２のフリ−アクセスフロアパネル１の底面図である。
【図６】図５のＡ部拡大平面図である。
【図７】図５のＢ部拡大平面図である。
【図８】図４のＩ−Ｉ線に沿う断面図である。
【図９】図４のＩＩ−ＩＩ線に沿う断面図である。
【図１０】図４のＩＩＩ−ＩＩＩ線に沿う断面図である。
【発明を実施するための形態】
【００１１】
以下に、本発明を実施するための形態を図面に示す一実施例に基づいて説明する。
【００１２】
図１は、本発明によるフリ−アクセスフロアパネル１の製造方法において用いられる金
属製の表面板２と裏面板３とを示すもので、該表面板２は隅丸状とされた所要の幅と長さ
を有する方形板状に形成され、その一側縁には略コ字形状のコンセント取付け用開口部４
が、同四隅個所には積み重ね時のズレを防止せしめるべく凹部５が形成されている。また
、上記表面板２に対応する裏面板３は偏平な略方形皿状に形成され、その一側縁には略コ
字形状のコンセント取付け用開口部６が、底面には略交差筋かい状の補強リブ７が、同外
周縁にはカシメ用フランジ部８が、同底面に表面板２の凹部５に嵌合せしめるべく凸部９
が対向状に形成されると共に、該凸部９に各々近接して敷設施工時の位置決め用凹部１０
が形成されている。
【００１３】
さらに、本発明によるフリ−アクセスフロアパネル１の製造方法において用いられるコ
ア材１１は、熱硬化性樹脂を結合材とするレジンコンクリ−トを用いる。そして、かかる
レジンコンクリ−トは、好適には熱硬化性樹脂を５％〜１５％、好ましくは１０％、骨材
を７５％〜８５％、好ましくは８０％、剛性材を５％〜１５％、好ましくは１０％を各々
配合し、適宜硬化剤を加えつつ公知のミキサ−により混練りして調製せしめる。
上記熱硬化性樹脂としては、不飽和ポリエステル樹脂、エポキシ樹脂、ポリウレタン樹
脂、フェノ−ル樹脂、メラミン樹脂、ＦＲＰ樹脂など公知の熱硬化性樹脂を採択使用する
。また、骨材としては砂を、剛性材としては炭酸カルシウム、タルクなど公知の剛性材を
採択使用する。
【００１４】
次に、図２〜図１０に示す本発明によるフリ−アクセスフロアパネル１の製造方法について説明する。
先ず、裏面板３内にコア材１１としてレジンコンクリ−トを投入し、平滑状にならす。
コア材１１の投入が完了すると、裏面板３を公知の振動装置により振動せしめ、充填する
コア材１１を均一に平準化せしめたのち、裏面板３上に所要の蓋をせしめつつ公知の加熱
装置により加熱せしめ、コア材１１を加熱硬化せしめる。このさい、加熱は８０℃〜１２
０℃、好ましくは１００℃下に２〜４時間、好ましくは３時間加熱せしめるとよい。裏面
板３内に充填せしめたコア材１１が硬化すると、裏面板３上に表面板２を被嵌状にセット
せしめつつ外周縁をカシメて一体化せしめたのち、必要に応じて３〜７日間にわたり置き
養生せしめることにより製造を完了する。
このさい、コア材１１として熱硬化性樹脂を結合材とするレジンコンクリ−トを金属製
裏面板３内に均一に充填せしめて加熱硬化せしめたのち、金属製表面板２を被嵌状に接合
せしめつつカシメて一体化せしめるものであるから、セメントモルタルをコア材として使
用する従来例に比して、非常に短期間で効率よく確実に、しかも、パネル厚を薄く、かつ
軽量に製造することが出来るものであって、ひいては、低床用として仕上がり高さを低く
設定することが出来るのみならず、運搬時や施工時における取扱いが極めて至便であり、
また、所謂初期音鳴りの発生がないものである。さらに、コア材１１としてのレジンコン
クリ−ト自体には水分を含有しないため、コア材１１の付着による表裏面板２・３の腐食
を生起せしめるおそれはないものである。
【００１５】
本発明により製造せしめたフリ−アクセスフロアパネル１は、従来と同様にフリ−アク
セスフロアパネル１を隣接集合せしめつつその角部を支持脚により固定支持せしめること
により順次基準床面上に敷設し、その上面にタイルカ−ペットなどを敷詰めて二重床を構
成せしめるとよい。    
このさい、裏面板３下には位置決め用凹部１０が形成されているため、敷設施工を迅速
、かつ確実に行うことが出来るのみならず、裏面板３の底面には略交差筋かい状の補強リ
ブ７が形成されているから、非常に丈夫であり、長期の使用に充分耐えることが出来るも
のである。
【００１６】
また、本発明により製造せしめたフリ−アクセスフロアパネル１を積み重ねて梱包する
さいにおいても、対応する表裏面板２・３の凹凸部５・９を嵌合せしめることによりズレ
を確実に防止せしめて荷崩れを生起せしめることなく安全な積み重ね作業を行うことが出
来るものである。
【００１７】
さらに、コア材１１を構成するレジンコンクリ−トを処分する際においても、加熱して
レジンを燃焼処理し、残渣の骨材を再利用することが出来るのみならず、粉砕処理して粒
径の大きな骨材としても再利用することが出来るものであって、リサイクル性が非常に良
いものである。
【００１８】
なお、上記実施例において、フリ−アクセスフロアパネル１の積み重ね時におけるズレ
を防止せしめるべく、表面板２には凹部５が、裏面板３には該凹部５に嵌合せしめるべく
凸部９が対向形成されているが、これに限定されるものでなく、表面板２には凸部９を、
裏面板３に該凸部９に嵌合せしめるべく凹部５を対向形成せしめてもよいものである。
また、コア材１１として熱硬化性樹脂を結合材とするレジンコンクリ−トを金属製裏面
板３に均一に充填せしめて加熱硬化せしめたのち、金属製表面板２を被嵌状に接合せしめ
つつ外周縁をカシメて一体化せしめるものとされているが、これに限定されることなく、
金属製表面板２を接着手段やスポット溶接手段により一体化せしめてもよいものである。
【符号の説明】
【００１９】
１  フリ−アクセスフロアパネル
２  表面板
３  裏面板
５  凹部
７  補強リブ
９  凸部
１１  コア材
【図１】
2015004189.tif 000003
【図２】
2015004189.tif 000004
【図３】
2015004189.tif 000005
【図４】
2015004189.tif 000006
【図５】
2015004189.tif 000007
【図６】
2015004189.tif 000008
【図７】
2015004189.tif 000009
【図８】
2015004189.tif 000010
【図９】
2015004189.tif 000011
【図１０】
2015004189.tif 000012